(57)【要約】【課題】遊技球を抜き出さない状態を十分に維持可能な球抜機構を備え、球送り部材や球発射位置への遊技球の供給を安定して行うことができる遊技機を提供する。【解決手段】球送り流路７０は、その両側に球支持突条部８２を備え、遊技球の下部を球支持突条部８２の間に沈ませ、この沈ませた状態で遊技球を回転しながら流下するように構成され、球支持突条部８２の一方を移動突条部８２ａとし、他方を固定突条部８２ｂとし、流路側球抜機構１１０は、移動突条部８２ａを上下方向へ移動可能な移動機構１１１と、移動突条部８２ａの移動を規制する第１規制部とを備え、移動突条部８２ａを上方へ移動して移動突条部８２ａと固定突条部８２ｂとの間隔を遊技球の直径よりも広げた球抜状態と、第１規制部により移動突条部８２ａの移動を規制して移動突条部８２ａと固定突条部８２ｂとの間隔を遊技球の直径よりも狭めた球抜阻止状態とに変換可能とした。【選択図】図１１
2008022938.tif 000002
【特許請求の範囲】
【請求項１】
遊技球を１個ずつ球発射位置へ供給可能な球送り部材と、該球送り部材側へ向けて遊技球を整列した状態で流下可能な球送り流路と、該球送り流路内の遊技球を抜き出し可能な球抜機構と、を備えた遊技機において、
前記球送り流路は、当該球送り流路の両側に球支持突条部を下流側へ下り傾斜した状態で備え、両球支持突条部に遊技球の側部を転動可能な状態で支持して遊技球の下部を球支持突条部の間に沈ませ、この沈ませた状態で遊技球の側部を転動することにより遊技球を回転しながら流下するように構成され、
前記球支持突条部の一方を移動突条部とし、他方を固定突条部とし、
前記球抜機構は、
前記移動突条部を上下方向へ移動可能な移動機構と、移動突条部の下方への移動を規制する第１規制部と、移動突条部が固定突条部から側方へ遠ざかる移動を規制する第２規制部と、を備え、移動機構により移動突条部を上方へ移動して移動突条部と固定突条部との間隔を遊技球の直径よりも広げた球抜状態と、第１規制部により移動突条部の移動を規制して移動突条部と固定突条部との間隔を遊技球の直径よりも狭めた球抜阻止状態と、に変換可能とし、
前記球抜機構を球抜状態へ変換すると、球送り流路内の遊技球を球支持突条部の下方へ流下可能としたことを特徴とする遊技機。
【請求項２】
前記球抜機構は、移動突条部を第１規制部側へ付勢する付勢部材を備えたことを特徴とする請求項１に記載の遊技機。
【請求項３】
前記球抜機構は、固定突条部の上方を球送り流路の側方へ凹ませて遊技球の移動空間部を形成したことを特徴とする請求項１または請求項２に記載の遊技機。
【請求項４】
前記球支持突条部は、遊技球の側部を載置する載置部を傾斜面で形成したことを特徴とする請求項１から請求項３のいずれかに記載の遊技機。
【発明の詳細な説明】
【技術分野】
【０００１】
本発明は、遊技球を１個ずつ球発射位置へ供給可能な球送り部材と、該球送り部材側へ向けて遊技球を流下可能な球送り流路と、該球送り流路内の遊技球を抜き出し可能な球抜機構とを備えたパチンコ遊技機等の遊技機に関する。
【背景技術】
【０００２】
従来の遊技機、例えば、パチンコ遊技機においては、球排出装置から排出された賞球あるいは貸球としての遊技球を貯留皿に貯留し、該貯留皿内の遊技球を発射装置の球発射位置に１個ずつ供給し、発射操作ハンドルが操作されたことに基づいて球発射位置の遊技球を打球発射杵で弾発して遊技領域へ向けて発射するように構成されている。また、貯留皿と球発射位置との間には、遊技球を１列に整列して流下する球送り流路（整列樋）と、該球送り流路を流下する遊技球を１個ずつ球発射位置へ供給可能な球送り部材（球送り装置）とを備えている。そして、特許文献１に開示されたパチンコ遊技機では、球送り流路の底面を開口し、該開口部から正規の遊技球より小さい小径球を排除できるように構成されている。
【特許文献１】特開平１−０３４４７６号公報
【発明の開示】
【発明が解決しようとする課題】
【０００３】
ところで、一般のパチンコ遊技機には、遊技者が操作可能な球抜機構（排出機構）を備え、該球抜機構により貯留皿内の遊技球や球送り流路内の遊技球を外部（例えば貯留皿の下方）へ抜き出せるように構成されている。そして、上記した特許文献における球送り流路に球抜機構を設けるとすると、球送り流路の底面に形成された開口を広げられるように構成し、開口幅を広げた状態で、小径球だけではなく正規の遊技球をも球送り流路から下方へ落下できるように構成することが考えられる。ところが、単に開口幅を広げられるように構成すると、開口部に支持された遊技球の自重で開口幅が自然に広がり易く、遊技球が開口に嵌ってしまったり、球抜操作をしていないにも拘らず遊技球が球送り流路から抜き出されてしまったりする虞がある。この結果、遊技球を球送り部材へ安定して供給できなくなる不具合、ひいては遊技者が安定して遊技球を発射することができなくなる不具合が発生し易くなり、遊技の興趣が低減する虞がある。
【０００４】
そこで、本発明は、上記の事情に鑑みてなされたものであり、その目的は、遊技球を抜き出さない状態を十分に維持可能な球抜機構を備え、球送り部材や球発射位置への遊技球の供給を安定して行うことができる遊技機を提供しようとするものである。
【課題を解決するための手段】
【０００５】
本発明は、上記目的を達成するために提案されたものであり、請求項１に記載のものは、遊技球を１個ずつ球発射位置へ供給可能な球送り部材と、該球送り部材側へ向けて遊技球を整列した状態で流下可能な球送り流路と、該球送り流路内の遊技球を抜き出し可能な球抜機構と、を備えた遊技機において、
前記球送り流路は、当該球送り流路の両側に球支持突条部を下流側へ下り傾斜した状態で備え、両球支持突条部に遊技球の側部を転動可能な状態で支持して遊技球の下部を球支持突条部の間に沈ませ、この沈ませた状態で遊技球の側部を転動することにより遊技球を回転しながら流下するように構成され、
前記球支持突条部の一方を移動突条部とし、他方を固定突条部とし、
前記球抜機構は、
前記移動突条部を上下方向へ移動可能な移動機構と、移動突条部の下方への移動を規制する第１規制部と、移動突条部が固定突条部から側方へ遠ざかる移動を規制する第２規制部と、を備え、移動機構により移動突条部を上方へ移動して移動突条部と固定突条部との間隔を遊技球の直径よりも広げた球抜状態と、第１規制部により移動突条部の移動を規制して移動突条部と固定突条部との間隔を遊技球の直径よりも狭めた球抜阻止状態と、に変換可能とし、
前記球抜機構を球抜状態へ変換すると、球送り流路内の遊技球を球支持突条部の下方へ流下可能としたことを特徴とする遊技機である。
【０００６】
請求項２に記載のものは、前記球抜機構は、移動突条部を第１規制部側へ付勢する付勢部材を備えたことを特徴とする請求項１に記載の遊技機である。
【０００７】
請求項３に記載のものは、前記球抜機構は、固定突条部の上方を球送り流路の側方へ凹ませて遊技球の移動空間部を形成したことを特徴とする請求項１または請求項２に記載の遊技機である。
【０００８】
請求項４に記載のものは、前記球支持突条部は、遊技球の側部を載置する載置部を傾斜面で形成したことを特徴とする請求項１から請求項３のいずれかに記載の遊技機である。
【発明の効果】
【０００９】
本発明によれば、以下のような優れた効果を奏する。
請求項１に記載の発明によれば、球送り流路は、当該球送り流路の両側に球支持突条部を下流側へ下り傾斜した状態で備え、両球支持突条部に遊技球の側部を転動可能な状態で支持して遊技球の下部を球支持突条部の間に沈ませ、この沈ませた状態で遊技球の側部を転動することにより遊技球を回転しながら流下するように構成したので、球送り流路の底面上を転動して流下する場合に比べて遊技球の流下勢を小さく抑えることができる。したがって、球送り流路を流下する遊技球が球送り部材に与える負荷を軽減することができ、球送り部材の駆動力が弱い場合であっても、球送り部材による球送り動作を円滑に行い易い。
【００１０】
また、球支持突条部の一方を移動突条部とし、他方を固定突条部とし、球抜機構は、移動突条部を上下方向へ移動可能な移動機構と、移動突条部の下方への移動を規制する第１規制部と、移動突条部が固定突条部から側方へ遠ざかる移動を規制する第２規制部とを備え、移動機構により移動突条部を上方へ移動して移動突条部と固定突条部との間隔を遊技球の直径よりも広げた球抜状態と、第１規制部により移動突条部の移動を規制して移動突条部と固定突条部との間隔を遊技球の直径よりも狭めた球抜阻止状態とに変換可能とし、球抜機構を球抜状態へ変換すると、球送り流路内の遊技球を球支持突条部の下方へ流下可能としたので、遊技球の自重で不用意に球支持突条部の間隔が広がることがなく、遊技球を抜き出さない状態（球抜阻止状態）を十分に維持することができる。したがって、遊技球を球送り部材、ひいては球発射位置へ安定して供給することができ、遊技の興趣の低減を抑えることができる。
【００１１】
請求項２に記載の発明によれば、球抜機構は、移動突条部を第１規制部側へ付勢する付勢部材を備えたので、球送り流路から遊技球を抜き出した操作の後に、球抜機構を確実に球抜阻止状態へ変換することができる。したがって、遊技球を球送り部材、ひいては球発射位置へ一層安定して供給することができる。
【００１２】
請求項３に記載の発明によれば、球抜機構は、固定突条部の上方を球送り流路の側方へ凹ませて遊技球の移動空間部を形成したので、球抜機構を球抜状態へ変換する際に、遊技球が球送り流路内に引っ掛かる不具合を抑制することができる。したがって、球送り流路内の遊技球をスムーズに抜き出すことができる。
【００１３】
請求項４に記載の発明によれば、球支持突条部は、遊技球の側部を載置する載置部を傾斜面で形成したので、載置部を角部で形成した場合に比べて、載置部の摩耗等の損傷を抑制することができる。したがって、球送り流路内の遊技球を一層円滑に転動し易く、遊技球の球発射位置への供給に悪影響を及ぼし難い。さらに、球抜機構を球抜状態へ変換する際、または遊技球が球送り流路から下方へ流下する際に、遊技球が球支持突条部に引っ掛かる不具合を抑制することができる。したがって、球送り流路内の遊技球を一層スムーズに抜き出すことができる。
【発明を実施するための最良の形態】
【００１４】
以下、代表的な遊技機であるパチンコ遊技機を例に挙げて本発明の実施の最良の形態を図面に基づき説明する。図１は透明部材保持枠および貯留皿ユニットを開放した状態のパチンコ遊技機の斜視図である。
パチンコ遊技機１は、外枠（機枠あるいは本体枠）２に前面枠（内枠）３を開閉可能に軸着し、この前面枠３のベースとなる略額縁状の前面枠本体４に矩形状の遊技盤５を収納可能とし、遊技盤５の表面には、区画部材（サイドケース）７を配置して略円形状の遊技領域８を区画形成し、該遊技領域８内に表示装置や入賞口等の役物（いずれも図示せず）を配設している。また、前面枠３の前面側には、一側（図１中、右側）が軸着された透明部材保持枠９を開閉（回動）可能に設け、該透明部材保持枠９に透視可能な透明部材１０を収納し、透明部材保持枠９の裏面側には、遊技球を遊技領域８内へ案内するための縦長な発射案内路１２を形成し、透明部材保持枠９を閉じると、遊技盤５が透明部材保持枠９により覆われるとともに、透明部材１０が遊技領域８の前方に配置され、透明部材１０を通して遊技領域８を前方から視認できるように構成している。さらに、透明部材保持枠９の下方には、一側（図１中、右側）が軸着された横長な貯留皿ユニット１４を開閉（回動）可能に備え、該貯留皿ユニット１４の側方（図１中、右側方）には、後述する発射装置１７を操作するための発射操作ユニット（発射操作ハンドル）１８を備えている。
【００１５】
前面枠本体４は、矩形状の開口部を上寄りに開設した合成樹脂製枠体であり、開口部の周縁に額縁状の遊技盤収納部２３を備え、遊技盤収納部２３内に遊技盤５を着脱可能な状態で収納するように構成されている。また、遊技盤収納部２３の下方にボード部２４を備え、該ボード部２４の上端に遊技盤載置部（図示せず）を設け、該遊技盤載置部に遊技盤５の下端を載置することで、遊技盤５の上下方向の位置を規制できるように構成されている。さらに、ボード部２４の前面側の一側寄り（図１中、左寄り）の上部には、前面枠本体４の裏側の球排出装置（図示せず）から供給される賞球あるいは貸球としての遊技球を貯留皿ユニット１４へ排出する球排出口２９を開設している。そして、ボード部２４の他側寄り（図１中、右寄り）、すなわち発射操作ユニット１８寄りの位置には、貯留皿ユニット１４の自由端部を係止可能なロック係止受部３０を設け、該ロック係止受部３０に貯留皿ユニット１４の自由端部を係止して貯留皿ユニット１４を前面枠本体４に対して閉状態に維持できるように構成されている。
【００１６】
貯留皿ユニット１４は、遊技球を貯留し、この貯留した遊技球を弾発して遊技盤５の遊技領域８へ発射するためのユニットである。貯留皿ユニット１４は、図１に示すように、横長なベースパネル（開閉部材）３１を備え、該ベースパネル３１の一端部（図１中、右端部）には、ベースパネル３１を前面枠本体４に対して開閉可能な状態で軸着する軸着部（ヒンジ部）３１ａを配置し、他側部（図１中、左側部）には、ロック係止受部３０に係止可能なロック係止部３１ｂを配置している。また、図２〜図４に示すように、ベースパネル３１の前面側には、遊技球を貯留可能な皿部材（貯留皿）３３と、該皿部材３３の前側部およびベースパネル３１の前面側全体を覆うカバー部材３４とを配置している。さらに、ベースパネル３１の後面側には、球排出口２９から排出された遊技球（賞球または貸球）、あるいは発射装置１７から発射されたが遊技領域８まで到達せずに発射案内路１２を逆流してきた遊技球（ファール球）を流下させる横長な球流下樋３５を配置している。そして、ベースパネル３１の軸着部３１ａ寄り（図４中、左寄り）の部分を略矩形状に大きく前方へ凹ませて発射収納部３７とし、該発射収納部３７内に発射装置１７を後方から収納している。さらに、発射収納部３７の上寄りの部分には前後方向に貫通する収納貫通口３８を開設し、該収納貫通口３８から発射装置１７の前面側の一部を前方へ突出できるように構成されている。また、ベースパネル３１のロック係止部３１ｂ側（図３中、右側）には、樋側球抜機構４１の一部をベースパネル３１の前後両面側に亘って配置し、該樋側球抜機構４１を球流下樋３５の下流端（図３中、右端）に接続し、球流下樋３５を流下する遊技球を貯留皿ユニット１４の下方へ抜き出せるように構成されている。
【００１７】
なお、球流下樋３５は、その上流部（図１中、右側部）を発射装置１７の上方に配置し、この上流部の前後幅を下流部の前後幅よりも広く設定して略箱状の球受部４２を形成し、該球受部４２の後部に球受開口４２ａを開設して、球受開口４２ａと球排出口２９とが連通、すなわち球流下樋３５と球排出口２９とが連通するように構成されている。また、球受部４２の上部を開放して発射案内路１２の下端に連通し、発射案内路１２を逆流してきたファール球を球受部４２に受け入れるように構成されている。さらに、球受部４２の底部には、発射装置１７と発射案内路１２とを連通（接続）する発射接続路４３を上下に貫通する状態で配置している。
【００１８】
また、樋側球抜機構４１は、図１および図３に示すように、球流下樋３５の下流端の側壁に開設された樋側球抜開口（図示せず）と、開閉部材（図示せず）が設けられた開閉ユニット４５と、樋側球抜開口を通過した遊技球を流下させる球抜流路４６（後側球抜流路４７および前側球抜流路４８）と、カバー部材３４に配置され、開閉部材を操作するための樋側球抜操作機構４９（図１０（ａ）参照）と、樋側球抜操作機構４９の操作により生じる動力を伝達可能な操作リンク機構５０とを備えて構成されている。そして、カバー部材３４の中央部分に設けられた樋側球抜操作機構４９の樋側球抜操作部（樋側球抜ボタン）５１を押し込み操作すると、開閉部材を開いて樋側球抜開口と球抜流路４６とを連通し、球流下樋３５内の遊技球を貯留皿ユニット１４から抜き出すことを許容する抜き出し状態に変換する。さらに、抜き出し状態で再び樋側球抜操作部５１を押し込み操作すると、開閉部材を閉じて樋側球抜開口と球抜流路４６とを遮断し、遊技球を貯留皿ユニット１４から抜き出すことを規制する抜き出し規制状態に変換する。なお、抜き出し状態においては、遊技球は、カバー部材３４の下部に開設された球抜排出口５３（図１０（ａ）参照）から下方へ流下して貯留皿ユニット１４の外方へ抜き出される。
【００１９】
そして、図３に示すように、ベースパネル３１の上側のうちロック係止部３１ｂ寄り（図３中、右寄り）の部分には、前後に貫通する流下開口３１ｃを開設し、球流下樋３５をベースパネル３１の自由端側へ下り傾斜した状態、言い換えると球排出口２９の前方から流下開口３１ｃへ向けて下り傾斜した状態で設定し、流下開口３１ｃを介して皿部材３３の内側（詳しくは皿部材３３の内側の上部）と球流下樋３５の下流端とを連通している。また、皿部材３３の底面を流下開口３１ｃから発射収納部３７の収納貫通口３８へ向けて下り傾斜する状態に設定し、発射装置１７のうち収納貫通口３８から前方へ臨ませた部分と、皿部材３３の内側（詳しくは皿部材３３の内側の下部）とを連通している。したがって、貯留皿ユニット１４は、球排出口２９から排出された遊技球（賞球あるいは貸球）を球流下樋３５、流下開口３１ｃ、皿部材３３を経て発射装置１７へ供給するように構成されている。
【００２０】
次に、発射装置１７について説明する。
発射装置１７は、図５および図６に示すように、当該発射装置１７の基部となる発射ベース５６に、当該発射装置１７に供給された遊技球を回動動作（揺動動作）により弾発する打球発射杵（発射部材）５７と、該打球発射杵５７を駆動するロータリーソレノイド５８等の回動駆動源（揺動駆動源）と、打球発射杵５７の回動範囲を規制する回動規制部５９と、打球発射杵５７に接続されたリンク機構６０とを備えて構成され、後方の前面枠本体４のボード部２４に対向する状態で配置されている。
【００２１】
発射ベース５６は、後方および上方が開放された略箱形状に形成され、その内部に打球発射杵５７、回動規制部５９およびリンク機構６０を収容している。また、発射ベース５６の四隅から係合突部６１を後方の前面枠本体４へ向けて突設し、係合突部６１をボード部２４に設けられた係合受部６２（図１参照）へ係合して発射装置１７を前面枠本体４の前方に位置決めできるように構成されている。さらに、発射ベース５６の前側には矩形状のベース基部６３を備え、該ベース基部６３の四隅からスペーサ６５を前方へ向けて突設し、該スペーサ６５の先端に平板状のソレノイドベース６６をベース基部６３から離間した状態で配置している。そして、該ソレノイドベース６６の前面側にロータリーソレノイド５８を配置し、該ロータリーソレノイド５８の出力軸（発射回動軸）６９をベース基部６３の中央部分よりも上寄りの位置を貫通して後方へ向けて突出し、発射回動軸６９の先端（後端）に後述の打球発射杵５７を軸着している。また、ベース基部６３の後面側のうち発射回動軸６９の突出部分よりも上方には、遊技球を１列に整列した状態で流下可能な球送り流路（整列路）７０を一側（図５中、右側）へ下り傾斜した姿勢で配置している。そして、該球送り流路７０の上流端（図５中、左端部）には、ベース基部６３を前後に貫通する貫通流路７１を球送り流路７０へ連通した状態で備え、該貫通流路７１の前端部を収納貫通口３８から前方へ突出して皿部材３３の傾斜下端に接続して（図３参照）、遊技球を皿部材３３から貫通流路７１を介して球送り流路７０へ導入できるように構成されている。
【００２２】
さらに、図７（ａ）および図８に示すように、球送り流路７０の下流部（図７中、右側部）を下方へ屈曲し、この屈曲部に球送り部材７３を回動自在な状態で配置して、球送り流路７０内の遊技球が球送り部材７３側へ向けて流下するように構成されている。また、球送り流路７０の下流端の側方（図８中、右側方）には、球送り流路７０から供給された遊技球を１個保持可能な弾発球保持部７４を備え、該弾発球保持部７４に保持される遊技球（すなわち打球発射杵５７に弾発される遊技球）の配置空間部を球発射位置７５としている。そして、該弾発球保持部７４の下部を開放して後述する打球発射杵５７の一部を球発射位置７５へ下方から進入可能とし、弾発球保持部７４および球発射位置７５の上方には、発射接続路４３の下端と球発射位置７５とを上下に連通可能な発射連通路７６を備え、遊技球が球発射位置７５から発射連通路７６および発射接続路４３を介して透明部材保持枠９の発射案内路１２へ飛翔できるように構成されている。
【００２３】
なお、球送り流路７０は、図７に示すように、ベース基部６３に設けられ、後方へ向けて開放された断面コ字状を呈する樋状の流路基部７９と、該流路基部７９の開放部分を後方から閉塞する流路蓋部８０とを前後に重ねて構成されている。また、球送り流路７０の前後両側には、直線状の球支持突条部８２を球送り流路７０の傾斜方向に沿って傾斜した状態、すなわち球送り流路７０の下流側へ下り傾斜した状態で備えている。具体的には、流路基部７９のうち、球送り部材７３よりも上流側に位置する部分のベース基部６３側（すなわち前側）および上側を別部材にして、上下方向へ移動可能な断面逆Ｌ字状の流路壁部８４とし、該流路壁部８４のうちベース基部６３側の縦向き部分から一方の球支持突条部８２としての移動突条部８２ａを球送り流路７０の内側（すなわち後方）へ向けて突設している（図７（ａ）参照）。なお、ベース基部６３は、流路壁部８４に対向する部分を前方へ１段凹ませて壁収容部８５を形成し、該壁収容部８５内で流路壁部８４を上下方向へ移動できるように構成している。また、移動突条部８２ａを上下移動するための機構については、後で詳細に説明する。
【００２４】
さらに、図７（ｂ）に示すように、流路蓋部８０の前面側のうち球送り部材７３よりも上流側に位置する部分から他方の球支持突条部８２としての固定突条部８２ｂを球送り流路７０の内側（すなわち前方）へ向けて突設している。また、流路蓋部８０のうち、固定突条部８２ｂの上方を球送り流路７０の側方へ僅かに凹ませて遊技球の移動空間部８６を固定突条部８２ｂに沿って横長に形成し、遊技球の側部が移動空間部８６に進入して遊技球が固定突条部８２ｂ側（すなわち後側）に移動できるように構成されている。そして、移動突条部８２ａおよび固定突条部８２ｂを球送り流路７０と同じ傾斜角度でベース基部６３の一側（図７（ａ）中、右側）へ下り傾斜した姿勢に設定するとともに、移動突条部８２ａと固定突条部８２ｂとの間隔を遊技球（詳しくは不正部材ではない正規の遊技球）の直径よりも僅かに狭く設定している。したがって、球送り流路７０は、遊技球の前側部を移動突条部８２ａに支持するとともに、後側部を固定突条部８２ｂに支持し、この支持状態、言い換えると遊技球の下部を両球支持突条部８２の間に沈ませた状態で遊技球の側部を球支持突条部８２上に転動することにより、遊技球を回転しながら球送り部材７３側へ流下させる（図１１（ａ）および図１２参照）。なお、球支持突条部８２は、遊技球の側部が当接する載置部（当接部）８２ｃを遊技球の接線方向に延設された傾斜面で形成し（図１１（ｃ）参照）、遊技球が当該球支持突条部８２の角部分に引っ掛からないように構成されている。そして、球送り流路７０内における遊技球の流下状態（挙動）については、後で詳細に説明する。
【００２５】
また、球送り部材７３は、球送り流路７０を流下する遊技球を球発射位置７５へ１個ずつ供給するための部材であり、図７（ａ）に示すように、球送り軸８８を介して前方のベース基部６３および後方の流路蓋部８０に回動自在な状態で軸着され、球送り軸８８の上方に遊技球を１個保持可能な球保持部（切欠部）８９を形成している。そして、球送り軸８８を中心にして後方から見て反時計方向へ回動して球保持部８９を屈曲部よりも上流側へ向けて開放すると（図８（ａ）参照）、球保持部８９に遊技球を１個保持した状態で球送り流路７０を遮断し、遊技球を球発射位置７５へ供給することを停止する状態（球供給停止状態）に変換する。一方、後方から見て時計方向へ回動して球保持部８９を屈曲部よりも下流側へ向けて開放すると、球保持部８９に保持した遊技球のみを球送り流路７０の下流端へ流下して球発射位置７５に供給するが、屈曲部よりも上流側に配置された遊技球の流下を球送り部材７３の先端部分で阻止する状態（球供給状態）に変換する。
【００２６】
打球発射杵５７は、図５および図６に示すように、ロータリーソレノイド５８の発射回動軸６９に止着される軸着部分から縦長な杵部９２を球発射位置７５側（図５中、右側）へ僅かに屈曲した状態で延設し、該杵部９２の先端部には、遊技球を弾発する弾発部９３を球発射位置７５側（右側）へ突設している。そして、発射回動軸６９を揺動中心にして、弾発部９３を球発射位置７５へ向けて移動（回動）する第１動作と、球発射位置７５から離れる第２動作とを行って揺動するように構成されている。具体的に説明すると、ロータリーソレノイド５８を駆動（励磁）して発射回動軸６９を図５に示す回転方向Ａへ回転すると第１動作を行い、杵部９２を横向き姿勢にして弾発部９３を弾発球保持部７４の内部へ下方から進入させ、弾発球保持部７４上に保持された遊技球を上方へ弾発する弾発状態に変換する。一方、ロータリーソレノイド５８の駆動を停止（すなわち消磁）して打球発射杵５７の自重により発射回動軸６９を図５に示す回転方向Ｂへ回転すると第２動作を行い、弾発部９３を球発射位置７５および弾発球保持部７４の下方へ移動して杵部９２を縦向き姿勢に変えて、次の遊技球を弾発するための弾発準備状態に変換する。さらに、打球発射杵５７のうち軸着部分（発射回動軸６９）を挟んで杵部９２と反対側には、後述する回動規制部５９に衝突可能な発射ストッパー９４を杵部９２の延設方向とは異なる方向（杵部９２の延設方向から「へ」字状に屈曲した方向）へ向けて突設し、発射ストッパー９４および杵部９２を回動規制部５９に係合（当接）することで、打球発射杵５７の回動範囲を規制するように構成されている。なお、打球発射杵５７の回動範囲の規制状態については、後で詳細に説明する。
【００２７】
回動規制部５９は、該打球発射杵５７と衝突して打球発射杵５７の回動動作を規制するための厚肉な円筒状の部材であり、衝撃を吸収し易い材料、例えばゴム材等の弾性体で形成されている。また、ベース基部６３の後面側のうち杵部９２の回動範囲と発射ストッパー９４の回動範囲との間に位置する部分、具体的には、打球発射杵５７の軸着部（発射回動軸６９）の下方であって杵部９２を挟んで球発射位置７５とは反対側（図５中、左側）に、ホルダ部９６に保持された状態で配置されている。そして、回動規制部５９の中心軸と発射回動軸６９との距離を杵部９２の延出長さおよび発射ストッパー９４の延出長さよりも短く設定し、杵部９２および発射ストッパー９４が回動規制部５９の外周部に係合（当接）できるように構成されている。なお、回動規制部５９は、その左右両側部分に打球発射杵５７を当接できるように設定されている。具体的には、回動規制部５９の一側部（図５中、左側部）の表面部分を第１杵規制部５９ａとし、該第１杵規制部５９ａに発射ストッパー９４を衝突できるように構成されている。また、回動規制部５９の他側部（図５中、右側部）、言い換えると回動規制部５９を挟んで第１杵規制部５９ａとは反対側の表面部分を第２杵規制部５９ｂとし、該第２杵規制部５９ｂに杵部９２を衝突できるように構成されている。
【００２８】
リンク機構６０は、打球発射杵５７と球送り部材７３とを連動させるための機構であり、打球発射杵５７に設けられた杵側リンク部材１００と、杵側リンク部材１００と球送り部材７３とを接続する球送りリンク部１０１とを備えて構成されている。また、球送りリンク部１０１を、杵側リンク部材１００の球送り部材７３側（図５中、右側）に設けられた縦長な略円弧状のカム溝部１０２と、球送り部材７３の球送り軸８８を挟んで球保持部８９とは反対側に設けられたカムフォロワ１０３とから構成している。さらに、カムフォロワ１０３を後方へ延設された円筒状の回動ころで形成し、カム溝部１０２内にカムフォロワ１０３を嵌合した状態で転動することで打球発射杵５７と球送り部材７３とを連動するように構成されている。
【００２９】
そして、貯留皿ユニット１４は、流路壁部８４を上下方向へ移動して球送り流路７０内の遊技球を抜き出し可能な流路側球抜機構１１０（本発明における球抜機構に相当）を備えている。具体的に説明すると、流路側球抜機構１１０は、流路壁部８４とともに移動突条部８２ａを上下方向へ移動可能な移動機構１１１と、流路壁部８４および移動突条部８２ａの移動を規制する第１規制部１１２および第２規制部１１３と、遊技球を発射装置１７の外方へ抜き出すための流路側球抜開口１１４と、該流路側球抜開口１１４と球抜流路４６とを連通する球抜連通路１１５と、カバー部材３４に配置された流路側球抜操作機構１１６と、該流路側球抜操作機構１１６と流路壁部８４とを接続する流路側球抜接続部１１７とを備えて構成されている。
【００３０】
移動機構１１１は、図７に示すように、流路壁部８４の側壁の前面側から前方へ向けて突設された円柱状の移動ロッド１１１ａと、ベース基部６３の壁収容部８５の前面側に開設された縦向き長穴形状の移動ガイド部１１１ｂとから構成されている。そして、移動ガイド部１１１ｂに移動ロッド１１１ａを上下方向へ摺動可能な状態で後方から挿通し、流路壁部８４および移動突起部がベース基部６３と前後に重なる状態で配置され、且つベース基部６３の壁収容部８５に沿って上下方向へ移動できるように構成されている。また、移動ロッド１１１ａの先端部を移動ガイド部１１１ｂよりも前方へ突出し、この突出端に後述の流路側球抜接続部１１７を止着している。
【００３１】
第１規制部１１２は、壁収容部８５の下縁部の左右両端に後方へ突設した突起で構成されており、流路壁部８４の下縁部に当接して流路壁部８４および移動突条部８２ａの下方への移動、具体的には、移動突条部８２ａが固定突条部８２ｂよりも低い位置に移動することを規制する。また、第２規制部１１３は、壁収容部８５のうち移動ガイド部１１１ｂが開設された前側平面部で構成されており、流路壁部８４を前後に重なる状態で当接して流路壁部８４および移動突条部８２ａが固定突条部８２ｂから側方へ遠ざかる移動（前後に離れる移動）を常時規制している。なお、流路壁部８４の前面の左右両側には、縦長な当接突起８４ａを前方へ突設し（図７（ｃ）参照）、該当接突起８４ａのみを第２規制部１１３へ当接して第２規制部１１３（壁収容部８５）と流路壁部８４との摺動摩擦を低く抑えるように構成されている。
【００３２】
流路側球抜開口１１４は、ベース基部６３のうち流路基部７９の誘導部１２０と壁収容部８５との間を前後方向へ貫通して開設された横長な矩形状の開口であり、遊技球が通過可能な程度の上下幅に設定されている。なお、流路側球抜開口１１４の下縁部には、誘導部１２０を流路側球抜開口１１４へ向けて下り傾斜した状態で配置しており、上方の球送り流路７０から流下してきた遊技球を流路側球抜開口１１４へ誘導できるように構成されている。
【００３３】
また、ベース基部６３とソレノイドベース６６との間には、球抜連通路１１５の上流部となる第１連通路１２１を一側（図９中、右側）へ下り傾斜したクランク状態で区画形成し、該第１連通路１２１の上流側と流路側球抜開口１１４とを前後に連通し、下流側を発射装置１７の側方へ開放している（図４参照）。なお、第１連通路１２１は、図９に示すように、ベース基部６３の前面側に設けられ、前方へ向けて開放された断面コ字状を呈する樋状の連通路基部１２１ａを備え、該連通路基部１２１ａの前側開放部分をソレノイドベース６６で前方から閉塞して区画形成されている。
【００３４】
さらに、図４に示すように、ベースパネル３１の前面側のうち発射収納部３７と球抜流路４６（詳しくは前側球抜流路４８）との間には、球抜連通路１１５の下流部となる第２連通路１２２を前側球抜流路４８側へ（図４中、右側）へ向けて下り傾斜した状態、具体的には正面視略Ｌ字状となる状態で区画形成している。また、図１０（ａ）に示すように、カバー部材３４の裏側から断面逆Ｌ字状の球脱落阻止部１２３を第２連通路１２２の前方へ向けて延設し、第２連通路１２２を流下する遊技球が第２連通路１２２を外れて前方へ脱落する不具合を阻止している。そして、発射収納部３７の側部に上流側連通口１２４を開設し、該上流側連通口１２４を介して第２連通路１２２の上流部を第１連通路１２１の下流端へ連通している。また、前側球抜流路４８の側部に下流側連通口１２５を開設し、該下流側連通口１２５を介して第２連通路１２２の下流側を前側球抜流路４８へ連通している。したがって、流路側球抜開口１１４を通過した遊技球は、第１連通路１２１、上流側連通口１２４、第２連通路１２２、下流側連通口１２５を経て球抜流路４６へ到達し、さらには球抜流路４６を流下して球抜排出口５３を通過し、貯留皿ユニット１４の外方へ抜き出される。
【００３５】
流路側球抜操作機構１１６は、図１０に示すように、カバー部材３４の裏側に樋側球抜操作機構４９と横に並んだ状態で配置されている。具体的に説明すると、流路側球抜操作機構１１６は、カバー部材３４の左右方向の発射装置１７寄り（図１０（ａ）中、右寄り）に貫通した矩形状の操作開口１２８と、該操作開口１２８の縁部から後方へ延設され、前後を開放した箱状の操作ベース部１２９と、該操作ベース部１２９に上下方向へ回動可能な状態で支持される操作部１３０と、操作ベース部１２９との間で操作部１３０を挟持する操作カバー１３１とを備えて構成されている。また、操作部１３０の前側には平板状の操作レバー１３３を突設し、後側には流路側球抜接続部１１７の一部を遊嵌する接続受部１３４を備え、左右両側部には操作ベース部１２９に軸支するための操作回動軸１３５を突設し、操作部１３０の側部（図１０（ｂ）中、右側部）のうち操作回動軸１３５と接続受部１３４との間から円柱状の付勢係止部１３６を外方へ延設している。そして、操作ベース部１２９内に操作部１３０を後方から挿入して操作レバー１３３を操作開口１２８から前方へ臨ませ、この状態で操作回動軸１３５を操作ベース部１２９の後端に形成した操作軸受部１３８で支持している。さらに、この支持状態で操作カバー１３１を操作部１３０の後方から覆う状態で操作ベース部１２９に止着し、操作カバー１３１の一側の前縁部（図１０中、左側の前縁部）に形成された凹部１３９を一側の操作回動軸１３５の後側に嵌合して、操作部１３０が操作ベース部１２９から脱落する不都合を阻止している。
【００３６】
また、操作カバー１３１の後部を後方へ開放し、この開放口１３１ａから操作部１３０の接続受部１３４を後方へ臨ませている。さらに、操作カバー１３１の他側部、具体的には凹部１３９とは反対側の側部（図１０中、右側部）の前側を大きく切り欠き、該切欠部１３１ｂから操作部１３０の付勢係止部１３６を外方へ突出している。そして、付勢係止部１３６の先端にコイルばね等の操作付勢部材１４０の一端（上端）を係止し、該操作付勢部材１４０の他端（下端）を操作回動軸１３５よりも下方の位置、具体的には、カバー部材３４の裏側から操作回動軸１３５の下方へ向けて延設された付勢支持ロッド１４１の先端に係止して、操作付勢部材１４０の付勢力により操作部１３０の接続受部１３４を下方へ常時付勢するとともに、操作レバー１３３を上方へ常時付勢している。したがって、操作レバー１３３を指などで操作して下方へ押圧すると、操作部１３０が操作付勢部材１４０に抗して回動し、接続受部１３４が上方へ移動する状態（開操作状態）となる。また、操作レバー１３３の押圧状態を解除、例えば、操作レバー１３３を押圧していた指等を操作レバー１３３から離すと、操作付勢部材１４０の付勢力により操作部１３０が回動し、接続受部１３４が下方へ移動するとともに操作レバー１３３が上方へ移動して元に戻る（閉操作状態）。なお、操作カバー１３１の切欠部１３１ｂの下縁部には厚肉の係止部１４２を形成してあり、閉操作状態における付勢係止部１３６を係止部１４２へ係止して、操作レバー１３３が閉操作状態の位置よりも上方へ移動する不具合、さらには接続受部１３４が閉操作状態の位置よりも下方へ移動する不具合を阻止するように構成している。また、操作部１３０の側部のうち付勢係止部１３６の基部およびその周辺には、操作回動軸１３５を曲率中心とした円弧状の当接ガイド１４３を外方へ向けて突設し、該当接ガイド１４３の外周面（後側面）を切欠部１３１ｂの奥手側の縁部（後縁部）に摺動可能な状態で当接し、この当接ガイド１４３と切欠部１３１ｂとの当接により操作部１３０の前後位置を維持して、操作部１３０の操作ベース部１２９に対する回動を円滑に行えるように構成されている。なお、当接ガイド１４３は、操作カバー１３１の係止部１４２に緩衝しない程度の突出幅に設定されている。
【００３７】
流路側球抜接続部１１７は、図３，図４，図６および図１１に示すように、ロータリーソレノイド５８を上方から覆う箱状で形成されており、発射収納部３７の収納貫通口３８を介してロータリーソレノイド５８とともに前方へ突出する状態で配置されている（図３参照）。また、流路側球抜接続部１１７の上部には、流路壁部８４の移動ロッド１１１ａの先端を止着する止着部１４５を備え、流路側球抜接続部１１７の後側端部の左右両端部には縦長な摺動当接部１４６を後方へ向けて突設し、該摺動当接部１４６をソレノイドベース６６の一部、具体的にはソレノイドベース６６のうちロータリーソレノイド５８の左右両側方に位置する前面部に摺動可能な状態で当接している。さらに、流路側球抜接続部１１７の前面側には、操作部１３０の接続受部１３４に遊嵌する接続突起１４７を前方へ向けて突設している。そして、止着部１４５の側部に付勢支持腕部１４８を延設し、該付勢支持腕部１４８の先端にコイルばね等の接続付勢部材１４９（本発明における付勢部材に相当）の一端（上端）を係止し、該接続付勢部材１４９の他端（下端）を止着部１４５よりも下方の位置、具体的には、ソレノイドベース６６の上部から後方へ延設された付勢係止爪１５０（図６参照）に係止して、接続付勢部材１４９の付勢力により流路側球抜接続部１１７を下方へ常時付勢している。したがって、流路壁部８４および移動突条部８２ａは、接続付勢部材１４９の付勢力により下方の第１規制部１１２側へ常時付勢される。
【００３８】
このような構成の流路側球抜機構１１０を備え、操作レバー１３３を操作して流路側球抜操作機構１１６を開操作状態へ変換すると、接続受部１３４に遊嵌する接続突起１４７および流路側球抜接続部１１７が接続付勢部材１４９の付勢力に抗して上方へ押し上げられる。すると、流路壁部８４および移動突条部８２ａが移動機構１１１により上方へ移動する。この結果、流路側球抜機構１１０は、移動突条部８２ａと固定突条部８２ｂとの間隔を遊技球の直径よりも広げた球抜状態に変換する（図１１（ｂ）参照）。なお、球抜状態では、移動機構１１１の移動ロッド１１１ａが移動ガイド部１１１ｂの上縁部に当接して、流路壁部８４および移動突条部８２ａがさらに上方へ移動することを規制している。
【００３９】
一方、流路側球抜操作機構１１６を常態である閉操作状態へ戻すと、接続受部１３４に遊嵌する接続突起１４７および流路側球抜接続部１１７が接続付勢部材１４９の付勢力により下方へ移動して元の位置に戻る。すると、流路壁部８４および移動突条部８２ａが移動機構１１１により下方へ移動し、流路壁部８４の下縁部が第１規制部１１２に上方から当接する。この結果、流路側球抜機構１１０は、第１規制部１１２により移動突条部８２ａが下方へ移動することを規制して移動突条部８２ａと固定突条部８２ｂとの間隔を遊技球の直径よりも狭めた球抜阻止状態に変換する（図１１（ａ）参照）。
【００４０】
次に、発射装置１７の作用について説明する。なお、球発射位置７５および球送り流路７０には、予め遊技球が配置されているものとする。さらに、流路側球抜操作機構１１６が操作付勢部材１４０の付勢力により閉操作状態に維持され、且つ、流路側球抜機構１１０が接続付勢部材１４９の付勢力により球抜阻止状態に維持されているものとする。
まず、ロータリーソレノイド５８の駆動を停止した常態では、発射装置１７は、打球発射杵５７を弾発準備状態に設定し、杵部９２を回動規制部５９の第２杵規制部５９ｂに当接する。さらに、球送り部材７３を球供給状態（球保持部８９を球発射位置７５側へ向けた状態）に維持するとともに、球送り部材７３の回動を阻止する。
【００４１】
この状態からロータリーソレノイド５８を駆動して打球発射杵５７が第１動作（すなわち弾発部９３を球発射位置７５へ向けて移動する動作）を行うと、リンク機構６０が打球発射杵５７の第１動作によって発生した回動力を球送り部材７３へ伝達し、この伝達力により球送り部材７３が回動して球供給状態から球供給停止状態（球保持部８９を球送り流路７０の上流側へ向けた状態）へ変換する。すると、球送り部材７３は、球保持部８９に球送り流路７０から流下した遊技球を１個保持し、この保持状態で球送り流路７０および球保持部８９内の遊技球が球発射位置７５へ流下することを阻止する。そして、この保持状態になると、その後は打球発射杵５７が更に回動しても球送り部材７３は動かない。
【００４２】
また、球送り部材７３が球保持部８９に遊技球を保持すると、球送り流路７０内の遊技球が下流の球送り部材７３側へ向けて遊技球１個分だけ流下する。このとき、球送り流路７０を流下する遊技球は、図１１（ａ）および図１２に示すように、その側部を移動突条部８２ａおよび固定突条部８２ｂに支持され、この支持状態で回転しながら流下する。具体的には、遊技球の上部を球送り部材７３側（球送り流路７０の下流側）へ移動するとともに、下部を貫通流路７１側（球送り流路７０の上流側）へ移動する状態で回転する。そして、球送り流路７０の上流部においては、流路床面上に載って下端の一点で支持された状態で転動してきた遊技球が左右の球支持突条部８２により当該遊技球の側部をそれぞれ支持された状態で転動することになる。したがって、遊技球が球支持突条部８２よりも上流側から球支持突条部８２へ流下する際には、遊技球が支持される箇所と遊技球の回転中心との距離、すなわち遊技球の転がり半径Ｒが小さくなる。さらに、両球支持突条部８２により遊技球を２点で支持することから、遊技球が受ける摩擦力は、下部の１点で支持されている場合よりも大きくなる。このため、遊技球の転動速度（流下速度）が遅くなり、遊技球の回転数、具体的には遊技球が単位距離を流下する間に回転する回転数が多くなる。このことから、球送り流路７０の底面上を転動して流下する場合に比べて遊技球の流下勢を小さく抑えることができる。したがって、球送り流路７０を流下する遊技球が球送り部材７３に与える負荷を軽減することができ、球送り部材７３の駆動力が弱い場合であっても、球送り部材７３による球送り動作を円滑に行い易い。
【００４３】
さらに、両球支持突条部８２の載置部８２ｃを傾斜面で形成しているので、載置部８２ｃを角部で形成した場合に比べて、載置部８２ｃの摩耗等の損傷を抑制することができる。したがって、球送り流路７０内の遊技球を一層円滑に転動し易く、遊技球の球発射位置７５への供給に悪影響を及ぼし難い。
【００４４】
引き続き打球発射杵５７が第１動作を行って弾発部９３を球発射位置７５へ進入させると、弾発部９３は球発射位置７５に配置された遊技球に衝突する。弾発部９３により衝突（弾発）された遊技球は、発射連通路７６および発射接続路４３を上昇し、透明部材保持枠９の発射案内路１２へ向けて勢いよく飛翔する。このようにして発射装置１７は遊技球を発射する。さらに打球発射杵５７が第１動作を続けると、発射ストッパー９４が回動規制部５９の第１杵規制部５９ａに衝突（係合）し、打球発射杵５７の第１動作および回動範囲が規制される。
【００４５】
打球発射杵５７の第１動作を規制したならば、ロータリーソレノイド５８を消磁して、自重により打球発射杵５７に球発射位置７５から離れる第２動作を行わせる。打球発射杵５７が第２動作を行うと、リンク機構６０が打球発射杵５７の第２動作により発生した回動力を球送り部材７３へ伝達し、この伝達力により球送り部材７３が回動して球供給停止状態から球供給状態へ戻る。すると、球送り部材７３は、球供給停止状態時に保持した遊技球１個を球送り流路７０の下流側へ流下して球発射位置７５へ供給する。これにより、次回発射する遊技球を球発射位置７５へ配置して発射準備を行う。また、球送り部材７３の一部（球保持部８９の側部）により球送り流路７０の屈曲部を遮断し、球送り流路７０の上流側の遊技球が球発射位置７５へ流下することを阻止する。さらに打球発射杵５７が第２動作を続けると、に示すように、杵部９２が回動規制部５９の第２杵規制部５９ｂに衝突（係合）し、打球発射杵５７の第２動作が規制される。
【００４６】
そして、遊技球の発射動作を終了した後、遊技球が球送り流路７０内や皿部材３３内に残っている場合には、流路側球抜機構１１０を操作して遊技球を球送り流路７０および皿部材３３から貯留皿ユニット１４の外方へ抜き出すことができる。具体的には、遊技球が球送り流路７０内や皿部材３３内に貯留（停留）している状態で、操作レバー１３３を下方へ押圧する。すると、移動突条部８２ａが固定突条部８２ｂから上方へ離れ、移動突条部８２ａに支持されていた遊技球の側部（図１１（ｃ）中、右側部）が流路壁部８４および移動突条部８２ａとともに上昇する。これにより、遊技球は、固定突条部８２ｂの載置部８２ｃを登るようにして転動し、当該遊技球の固定突条部８２ｂ側（図１１（ｃ）中、左側）の側部を移動空間部８６に進入させる。したがって、流路側球抜機構１１０を球抜状態へ変換する際に、遊技球が球送り流路７０内に引っ掛かる不具合を抑制することができる。これにより、球送り流路７０内の遊技球をスムーズに抜き出そうとすることができる。
【００４７】
引き続き操作レバー１３３を下方へ押圧して、移動ロッド１１１ａと移動ガイド部１１１ｂの上縁部とを当接させて流路側球抜機構１１０を球抜状態へ変換すると、移動突条部８２ａと固定突条部８２ｂとの間隔が遊技球の直径よりも広く設定される。すると、球送り流路７０内の遊技球のうち移動突条部８２ａに係合していた側部が移動突条部８２ａから外れる。この結果、遊技球は、固定突条部８２ｂの載置部８２ｃを下るようにして球支持突条部８２の下方へ流下し、流路基部７９の誘導部１２０に落下する。そして、流路側球抜開口１１４、球抜連通路１１５、前側球抜流路４８、球抜排出口５３を通過して貯留皿ユニット１４の下方（すなわちパチンコ遊技機１の外方）へ落下し、例えば、遊技者が予め球抜排出口５３の下方に載置しておいた遊技球貯留箱（図示せず）へ抜き出される。また、球送り流路７０内の遊技球が球支持突条部８２の下方へ流下して抜き出されると、皿部材３３内に貯留されていた遊技球が球送り流路７０内に流下してくる。このとき、流路側球抜機構１１０を球抜状態に維持しておけば、皿部材３３から球送り流路７０内に流下してきた遊技球も、流路側球抜開口１１４、球抜連通路１１５、前側球抜流路４８、球抜排出口５３を通過して貯留皿ユニット１４の下方へ落下し、遊技球貯留箱へ抜き出される。
【００４８】
球送り流路７０内および皿部材３３内の遊技球を抜き出し終わったならば、操作レバー１３３の押圧状態を解除して流路側球抜機構１１０を球抜阻止状態へ変換する。すると、流路壁部８４が降下して第１規制部１１２に当接し、移動突条部８２ａが固定突条部８２ｂと同じ高さに配置され、移動突条部８２ａと固定突条部８２ｂとの間隔が遊技球の直径よりも狭く設定される。この状態で再び皿部材３３に遊技球を貯留すれば、この遊技球を球送り流路７０内に流下して両球支持突条部８２に支持し、球発射位置７５へ供給可能、すなわち発射装置１７から遊技球を発射可能となる。
【００４９】
このようにして移動突条部８２ａを上方へ移動して球送り流路７０内の遊技球を球支持突条部８２の下方へ抜き出すので、遊技球の自重で不用意に球支持突条部８２の間隔が広がることがなく、遊技球を抜き出さない状態（球抜阻止状態）を十分に維持することができる。したがって、遊技球を球送り部材７３、ひいては球発射位置７５へ安定して供給することができ、遊技の興趣の低減を抑えることができる。また、接続付勢部材１４９により流路壁部８４および移動突条部８２ａを下方の第１規制部１１２側へ常時付勢するので、球送り流路７０から遊技球を抜き出した操作の後に、流路側球抜機構１１０を確実に球抜阻止状態へ変換することができる。したがって、遊技球を球送り部材７３、ひいては球発射位置７５へ一層安定して供給することができる。
【００５０】
さらに、両球支持突条部８２の載置部８２ｃを傾斜面で形成したので、流路側球抜機構１１０を球抜状態へ変換する際、または遊技球が球送り流路７０から下方へ流下する際に、遊技球が球支持突条部８２に引っ掛かる不具合を抑制することができる。したがって、球送り流路７０内の遊技球を一層スムーズに抜き出すことができる。
【００５１】
ところで、上記実施形態では、流路基部７９側に設けられた球支持突条部８２を移動突条部８２ａとし、流路蓋部８０側に設けられた球支持突条部８２を固定突条部８２ｂとしたが、本発明はこれに限定されず、流路基部７９側の球支持突条部８２を固定突条部とし、流路蓋部８０を上方へ移動できるようにして流路蓋部８０側の球支持突条部８２を移動突条部としてもよい。また、移動機構１１１は、移動突条部上下移動することができるものであれば、どのような機構であってもよい。
【００５２】
さらに、上記実施形態では、流路側球抜機構１１０とは別個に樋側球抜機構４１を設けているが、本発明はこれに限定されない。例えば、樋側球抜機構４１を設けず、球流下樋３５内の遊技球を皿部材３３を介して球送り流路７０まで流下し、流路側球抜機構１１０により貯留皿ユニット１４の外部へ抜き出すようにしてもよい。
【００５３】
また、上記実施形態では、代表的な遊技機であるパチンコ遊技機を例にして説明したが、本発明はこれに限らず、遊技球を１個ずつ球発射位置へ供給可能な球送り部材と、該球送り部材側へ向けて遊技球を整列した状態で流下可能な球送り流路と、該球送り流路内の遊技球を抜き出し可能な球抜機構とを備えた遊技機であればどのような遊技機でもよい。例えば、アレンジボール式遊技機、雀球式遊技機等の遊技機であってもよい。
【００５４】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００５５】
【図１】前面枠の前側を開放したパチンコ遊技機の斜視図である。
【図２】貯留皿ユニットの斜視図である。
【図３】貯留皿ユニットの分解斜視図である。
【図４】ベースパネルと発射装置の斜視図である。
【図５】発射装置の後方から見た斜視図である。
【図６】発射装置の後方から見た分解斜視図である。
【図７】（ａ）は球送り流路の構成を示す分解斜視図、（ｂ）は流路蓋部の斜視図、（ｃ）は流路壁部の斜視図である。
【図８】発射ベースの後方から見た斜視図である。
【図９】発射ベースの前方から見た斜視図である。
【図１０】（ａ）はカバー部材の後方から見た斜視図、（ｂ）は流路側球抜操作機構の分解斜視図である。
【図１１】流路側球抜機構の説明図であり、（ａ）は球抜阻止状態の断面図、（ｂ）は球抜状態の断面図、（ｃ）は球抜状態における球送り流路の拡大断面図である。
【図１２】球送り流路を流下する遊技球の挙動を示す概略図である。
【符号の説明】
【００５６】
１  パチンコ遊技機
３  前面枠
１４  貯留皿ユニット
１７  発射装置
３１  ベースパネル
３３  皿部材
３４  カバー部材
３５  球流下樋
３７  発射収納部
３８  収納貫通口
４１  樋側球抜機構
４６  球抜流路
５１  樋側球抜操作部
５６  発射ベース
５７  打球発射杵
５８  ロータリーソレノイド
５９  回動規制部
６０  リンク機構
６３  ベース基部
６６  ソレノイドベース
７０  球送り流路
７１  貫通流路
７３  球送り部材
７５  球発射位置
７９  流路基部
８０  流路蓋部
８２  球支持突条部
８２ａ  移動突条部
８２ｂ  固定突条部
８２ｃ  載置部
８４  流路壁部
８５  壁収容部
８６  移動空間部
８９  球保持部
９２  杵部
９３  弾発部
９４  発射ストッパー
１１０  流路側球抜機構
１１１  移動機構
１１１ａ  移動ロッド
１１１ｂ  移動ガイド部
１１２  第１規制部
１１３  第２規制部
１１４  流路側球抜開口
１１５  球抜連通路
１１６  流路側球抜操作機構
１１７  流路側球抜接続部
１２０  誘導部
１２８  操作開口
１２９  操作ベース部
１３０  操作部
１３３  操作レバー
１３４  接続受部
１３５  操作回動軸
１４０  操作付勢部材
１４７  接続突起
１４９  接続付勢部材
【図１】
2008022938.tif 000003
【図２】
2008022938.tif 000004
【図３】
2008022938.tif 000005
【図４】
2008022938.tif 000006
【図５】
2008022938.tif 000007
【図６】
2008022938.tif 000008
【図７】
2008022938.tif 000009
【図８】
2008022938.tif 000010
【図９】
2008022938.tif 000011
【図１０】
2008022938.tif 000012
【図１１】
2008022938.tif 000013
【図１２】
2008022938.tif 000014